(57)【特許請求の範囲】
【請求項１】
１つのワイド画像を複数の部分画像データに分割して記録された記録媒体から前記ワイド画像を再生する画像再生方法であって、
前記記録媒体から前記部分画像データを読み出す工程と、
前記読み出された前記部分画像データを順次縮小化して合成してワイド画像全体を表示する第１のモードと、前記読み出された前記部分画像データを表示手段に表示させ、かつ同一画面上に前記表示された部分画像データの前記ワイド画像内で位置を認識させるための情報を表示させる第２のモードとを選択的に用いて画像表示する表示工程
とを有することを特徴とする画像再生方法。
【発明の詳細な説明】
【０００１】
【発明の属する技術分野】
本発明は、ワイド画像を再生する画像再生方法に関する。
【０００２】
【従来の技術】
従来のアスペクト比３：４のモニタ以外にアスペクト比９：１６の横長のモニタが商品化され、ビデオ・カメラや電子スチル・カメラでも、ワイドな画像を得たいとする要求がある。
【０００３】
このような要求に対しては、各種の方法が提案されている。例えば、撮影画角を拡大するワイド・コンバータ・レンズを撮影レンズ前面に装着して撮影する光学的な方法や、カメラをパンして一部を重複するように撮影した複数の静止画を画像編集装置上で、手作業で合成する方法、撮影画面の上下をカット又はマスクし、視覚的にワイド画面にする方法などがある。
【０００４】
【発明が解決しようとする課題】
実際に画角が拡大されたワイド画像を表示する際に、ワイド画像全体を表示しようとすると画像が小さくなり細部を確認することができず、一方、前記ワイド画像の一部のみ画像を表示した際にはワイド画像のどの部分を表示しているのか把握することができない。
【０００７】
本発明は、ワイド画像を表示する際に、ワイド画像全体を把握でき、ワイド画像全体のどの部分を表示しているのか把握しながらワイド画像の細部も確認できる画像再生方法を提示することを目的とする。
【０００８】
【課題を解決するための手段】
本発明に係る画像再生方法は、１つのワイド画像を複数の部分画像データに分割して記録された記録媒体から前記ワイド画像を再生する画像再生方法であって、前記記録媒体から前記部分画像データを読み出す工程と、前記読み出された前記部分画像データを順次縮小化して合成してワイド画像全体を表示する第１のモードと、前記読み出された前記部分画像データを表示手段に表示させ、かつ同一画面上に前記表示された部分画像データの前記ワイド画像内で位置を認識させるための情報を表示させる第２のモードとを選択的に用いて画像表示する表示工程とを有することを特徴とする。
【０００９】
【実施例】
以下、図面を参照して本発明の実施例を説明する。
【００１０】
図１は、本発明の一実施例のビデオ・カメラの全体概略構成ブロック図を示す。１０はズーミング・レンズ及びフォーカシング・レンズを含む撮影レンズ、１２は撮影レンズ１０の光学像を電気信号に変換する撮像素子、１４は撮像素子１２のアナログ出力をサンプル・ホールドするサンプル・ホールド（Ｓ／Ｈ）回路、１６はＳ／Ｈ回路１４のアナログ出力をディジタル信号に変換するＡ／Ｄ変換器、１８はＡ／Ｄ変換器１６の出力にガンマ変換、色バランス調整、輝度／色差信号への変換などの周知のカメラ信号処理を施すプロセス回路である。
【００１１】
２０Ａ，２０Ｂ，２０Ｃはそれぞれ１フィールドの記憶容量を具備する画像メモリ、２２は画像メモリ２０Ａ，２０Ｂ，２０Ｃの書き込み及び読み出しを制御するメモリ制御回路である。本実施例では、この３つの画像メモリ２０Ａ，２０Ｂ，２０Ｃを使って、ワイド化した静止画を自動形成する。詳細は後述する。
【００１２】
２４は撮影画像及び超ワイド画のために合成処理した画像を記録する記録媒体である。例えば、光磁気ディスク装置、光ディスク装置、ハード・ディスク装置、フラッシュ・メモリなどの大容量固体メモリ装置などからなる。
【００１３】
２６はメモリ制御回路２２からの連続する２フィールドの輝度信号から動きベクトルを検出する動き検出回路であり、メモリ制御回路２２からの２つの輝度信号を帯域制限するフィルタ２８、フィルタ２８の２つの出力をマッチング演算するマッチング回路３０、及びマッチング回路３０のマッチング演算結果から動きベクトルを算出するベクトル演算回路３２からなる。
【００１４】
３４はプロセス回路１８の出力、即ち、撮影画像を映像表示する電子ビュー・ファインダ（ＥＶＦ）、３６は全体の動作タイミングを制御するタイミング制御回路である。
【００１５】
図２は、マッチング回路３０におけるマッチング演算のテンプレートとベクトル方向パターンを示す。図２において、中央に図示したものが、動きベクトルを検出するためのマッチング演算用のテンプレートであり、縦６、横８の４８個からなる。１つのテンプレートを６４×６４画素とすると、５１２×３８４画素の領域についてマッチングが行なわれる。
【００１６】
また、図２で、矢印は動きベクトルの方向を示す。図２では、８つの方向の動きベクトルを図示してある。各方向に対して、交差斜線を施した部分が、つなぎ目を検出するための領域であり、以下、この領域をベクトル方向パターンと称する。例えば、動きベクトルが右方向と判断された場合には、右端の部分がベクトル方向パターンとなり、右下と判断された場合には右端と下端の部分がベクトル方向パターンとなる。
【００１７】
以下、動作を説明するが、図１に示すカメラを、図３に示すようにコ字状にパンすると仮定する。図４、図５及び図６は全体として、動作フローチャートを示す。図７は、メモリ２０Ａ，２０Ｂ，２０Ｃの状態遷移を示す。図７で、空白は、有効な画像データが格納されていないことを示し、右下がり又は左下がりの斜線は有効な画像データが格納されていることを示し、交差斜線は、動きベクトル演算の結果求められたベクトル方向のパターンのメモリ上の位置を象徴的に示す。図７の左側のＳ１〜Ｓ１４は、図４、図５及び図６のステップ番号に対応している。
【００１８】
撮像素子１２は撮影レンズ１０による光学像を電気信号に変換する。撮像素子１２の出力は、Ｓ／Ｈ回路１４及びＡ／Ｄ変換器１６によりサンプル・ホールド及びＡ／Ｄ変換され、プロセス回路１８に入力する。プロセス回路１８はＡ／Ｄ変換器１６の出力をカメラ信号処理し、輝度信号及び色差信号としてメモリ制御回路２２に出力する。
【００１９】
メモリ制御回路２２は、プロセス回路１８から出力される最初のフィールドの画像データをメモリ２０Ａにフリーズすると共に、記録媒体２４に出力する（Ｓ１，２）。記録媒体２４は、メモリ制御回路２２からの画像データを記録する。
【００２０】
メモリ制御回路２２は、プロセス回路１８から出力される２番目のフィールドの画像データをメモリ２０Ｂにフリーズする（Ｓ３）。この時、同時に、メモリ制御回路２２は、プロセス回路１８からの画像データ（メモリ２０Ｂにフリーズした画像データ）と、メモリ２０Ａにフリーズされている画像データを動き検出回路２６に読み出し、フィールド間で画面全体の動きベクトルを算出する（Ｓ４）。ここでは、図３に示すようにコ字状にパンするとしているので、図３の画面１−１（メモリ２０Ａ）の右端の交差斜線部分がパターン検出の領域となる（Ｓ５）。
【００２１】
Ｓ１〜Ｓ５の動作を図７で説明すると、Ｓ１ではメモリ２０Ａのみ画像データがあり、メモリ２０Ｂ，２０Ｃは空である。Ｓ３でメモリ２０Ｂに次フィールドがフリーズされる。Ｓ４では、メモリ２０Ａ，２０Ｂに格納される画像が比較され、その結果、右方向に動いていることが判明する。これにより、Ｓ５では、メモリ２０Ａにフリーズされる画像の右端と、メモリ２０Ｂ上の画像の真ん中やや左寄りに、同じパターン（交差斜線）が検出される。
【００２２】
次に、メモリ２０Ｂ上で、メモリ２０Ａの右端のパターンと同じパターンの領域（交差斜線）及びこれより右側（パン方向）の領域（右上がり斜線）のデータをメモリ２０Ｃの左端に転送する（Ｓ６）。
【００２３】
３番目のフィールドをメモリ２０Ａにフリーズし（Ｓ７）、今度は、メモリ２０Ｂ，２０Ａ間で同様に処理する。即ち、メモリ２０Ｂにフリーズされた画像に対して、メモリ２０Ａにフリーズされた画像の動きベクトルを演算し（Ｓ８）、メモリ２０Ａ，２０Ｂにフリーズされている画像の継ぎ目となるパターンを検出し（Ｓ９）、メモリ２０Ａから継ぎ目（交差斜線）と新しい画像部分をメモリ２０Ｃに、既存の画像に継ぐ位置に転送する（Ｓ１０）。
【００２４】
即ち、図７に示すように、Ｓ９では、メモリ２０Ａ上で、メモリ２０Ｂの右端の画像パターンと同じパターンの領域（交差斜線）とその右側の領域のデータを、メモリ２０Ｃの既存データの右側の空白部分に転送する（Ｓ１０）。メモリ２０Ｃの空白部分が狭ければ、メモリ２０Ｃの空白部分を満たすだけのデータを画像メモリ２０Ａからメモリ２０Ｃに転送する。このとき、メモリ２０Ａ上のどこまでをメモリ２０Ｃに転送したかを記憶する。
【００２５】
メモリ２０Ｃが一杯か否かを調べ（Ｓ１１）、一杯であれば、記録媒体２４に掃き出して記録し（Ｓ１２）、図示しないつなぎ撮りスイッチがオフの場合には撮影を終了し（Ｓ１３）、オンの場合には、メモリ２０Ａに残るデータをメモリ２０Ｃに転送する（Ｓ１４）。ここまでにおいて、２画面分の画像が記録媒体２４に記録されたことになる。
【００２６】
メモリ２０Ｃが一杯でない場合（Ｓ１１）、又は、メモリ２０Ａのデータをメモリ２０Ｃに転送した後（Ｓ１４）、次のフィールドをメモリ２０Ｂにフリーズし（Ｓ１５）、メモリ２０Ａ，２０Ｂ間のマッチング演算により動きベクトルを検出する（Ｓ１６）。先と同様に、メモリ２０Ａ上のベクトル方向のパターンをメモリ２０Ａ，２０Ｂから検出し（Ｓ１７）、メモリ２０Ｂから所定データをメモリ２０Ｃに転送する（Ｓ１８）。
【００２７】
再度、メモリ２０Ｃが一杯か否かを調べ（Ｓ１９）、一杯であれば、記録媒体２４に掃き出して記録し（Ｓ２０）、図示しないつなぎ撮りスイッチがオフの場合には撮影を終了し（Ｓ２１）、オンの場合には、メモリ２０Ａに残るデータをメモリ２０Ｃに転送する（Ｓ２２）。メモリ２０Ｃが一杯でない場合（Ｓ１９）、Ｓ７に戻って、上記動作を繰り返す。
【００２８】
図８は、上記動作のタイミング図を示す。図４、図５及び図６の各ステップが実行されるタイミングに、同じステップ番号を付してある。Ｖタイミング信号は、フィールド信号の垂直同期信号に同期するタイミング信号である。
【００２９】
最初のフィールドで、撮像素子１２から光電変換信号が読み出され、メモリ２０Ａにフリーズされ（Ｓ１）、これと同時に、記録媒体２４に記録される（Ｓ２）。
【００３０】
次のフィールドでも、撮像素子１２からの読み出しが行なわれ、今度はメモリ２０Ｂにフリーズされる（Ｓ３）。同時に、メモリ２０Ａに記憶される画像データ（特に輝度データ）が読み出され（Ｓ４）、マッチング演算により動きベクトルが算出される（Ｓ４）。撮像素子１２からの次の読み出しの前に、検出した動き方向の画像データをメモリ２０Ｃにフリーズする（Ｓ６）。
【００３１】
３つ目のフィールドで撮像素子１２から読み出された信号は、メモリ２０Ａにフリーズされる（Ｓ７）。同時に、メモリ２０Ｂに記憶される画像データ（特に輝度データ）が読み出され（Ｓ８）、マッチング演算により動きベクトルが算出される（Ｓ８）。撮像素子１２からの次の読み出しの前に、検出した動き方向の画像データをメモリ２０Ｃにフリーズする（Ｓ１０）。メモリ２０Ｃが一杯になると、メモリ２０Ｃの画像データが記録媒体２４に記録され（Ｓ１２）、メモリ２０Ａの残存データがメモリ２０Ｃに転送される（Ｓ１４）。
【００３２】
４つ目のフィールドでは、撮像素子１２から読み出された信号はメモリ２０Ｂにフリーズされる（Ｓ１５）。同時に、メモリ２０Ａに記憶される画像データが読み出され（Ｓ１６）、マッチング演算により動きベクトルが算出される（Ｓ１６）。撮像素子１２からの次の読み出しの前に、検出した動き方向の画像データをメモリ２０Ｃにフリーズする（Ｓ１８）。
【００３３】
５つ目のフィールドでは、Ｓ７に戻り、先の動作を繰り返す。
【００３４】
このように、パン動作と共に、動き方向の新規な画像をメモリ２０Ｃにフリーズし、メモリ２０Ｃが一杯になると記録媒体２４に記録するという動作を繰り返すことにより、記録媒体２４には、パン方向で精確に繋がる一連の静止画像を記録できる。右方向パンを主に説明したが、左方向及び上下方向であっても同様である。
【００３５】
上述のようにして、図３に示すように右、下及び左のパンにより１２枚の画像を記録媒体２４に記録してつなぎ撮りを終了したとする。このとき、１−１〜１−６，２−１〜２−６という１２個の画像位置アドレスが完成する。この画像位置アドレスをつなぎ撮り終了後に各々の画像データの先頭に記録する。
【００３６】
次に、パン動作が遅い場合の動作を説明する。図９はメモリ２０Ａ，２０Ｂ，２０Ｃの遷移状態を示し、図１０はそのタイミング図を示す。
【００３７】
先ず、最初のフィールド画像をメモリ２０Ａにフリーズし（Ｓ１）、２つ目のフィールド画像をメモリ２０Ｂにフリーズする（Ｓ３）。両者の画像から動きを検出し、検出結果に基づき動き方向の新規な画像部分をメモリ２０Ｂからメモリ２０Ｃに転送する（Ｓ６）。メモリ２０Ａに次のフィールド画像をフリーズし（Ｓ７）、メモリ２０Ｂの画像との間で動きを検出し、検出結果に基づき動き方向の新規な画像部分をメモリ２０Ａからメモリ２０Ｃに転送する（Ｓ１０）。
【００３８】
パンが遅いので、メモリ２０Ｃには未だ余裕があり、次のフィールドをメモリ２０Ｂにフリーズし（Ｓ１５）、メモリ２０Ａの画像との間で動きを検出し、検出結果に基づき動き方向の新規な画像部分をメモリ２０Ｂからメモリ２０Ｃに転送する（Ｓ１８）。
【００３９】
この段階でも、メモリ２０Ｃに余裕があるので、Ｓ７以降を繰り返す。メモリ２０Ｃが一杯になれば、記録媒体２４に記録する。
【００４０】
横方向のパンでは、本来、水平面内で横方向にカメラを回動すべきであるが、手持ち撮影の場合、どうしても水平面に対して斜めにパンしてしまう。そこで、次に斜め方向のパンの場合の動作を説明する。
【００４１】
図１１は、右上方向へのパンの際の動きベクトルと記録画像を示す。図１１（ａ）は動き検出回路２６により検出された各フィールド毎の動き方向と量を示す動きベクトル、同（ｂ）は右斜めパンによる各フィールドの画像を示す。図１１（ｂ）で、交差斜線部分が、検出した動きベクトルに対応した動き方向のパターンとなる。
【００４２】
図１１（ｃ）は、撮影開始時のフィールドを基点として、右真横にパンしていると想定して各フィールドの画像をつないだ画像である。斜線部分が、右斜め上方向へのパンにより得られない画像部分であり、空白部分が撮像素子１２により得られる画像部分である。
【００４３】
図１１（ｄ）は、メモリ２０Ｃ上で合成し記録媒体２４に記録する画像である。左右を向く矢印の範囲は、１画面として記録される範囲である。交差斜線部分は、隣の画面との継ぎ目であり、斜線部分が画像データの欠落した部分である。このようにして、４画面の画像が順次、記録媒体２４に記録される。
【００４４】
このとき、つなぎ撮りモードの終了をユーザが操作すると、電子ビュー・ファインダ３４は、図１２に示す表示となる。これにより、ユーザは今記録した画像を確認できる。ここでも、斜線部分が画像データの欠落部分であり、気に入らない場合には、今記録媒体２４に記録したデータを無効にして又は後で消去することにして、パンをやり直せばよい。パンを正確に、例えば、同一平面内で行なえるように、逐次検出する動きベクトル（図１１（ａ））を、電子ビュー・ファインダ３４上に表示するのが好ましい。
【００４５】
また、図１１（ｅ）は、別のつなぎ方法によりメモリ２０Ｃ上で合成して、記録媒体２４に記録する画像である。ここでは、メモリ２０Ｃ上で合成する際に、データの欠落部分ができる限り発生しないように、動き方向のパターンにそって継ぎ目を抽出し、このように抽出した継ぎ目に従って各画面の画像を形成する。このときには、画像データ記録後に画像位置アドレスを記録する際に、動きベクトル・データも記録する必要がある。これにより、再生時に、斜め方向についても、自然に各画像をつなぐことができる。
【００４６】
上記実施例では、画像データの欠落部分が発生した場合に、全く最初からパンをやり直さなければならないが、補充的なパンにより欠落データを穴埋め又は補充できれば便利である。即ち、図１３に示すように、電子ビュー・ファインダ３４上につなぎ撮りの情報を表示して、既存記録画像のデータ欠落部分を包含するように、符号４０で示す領域の画像を撮像素子１２で撮影する。そして、マッチング演算によりデータ欠落部分の継ぎ目を探し、欠落部分を補充する。
【００４７】
このようにして継ぎ目が見つかり穴埋めが終了すると、スルー画面が間欠表示となる。これを受けて、ユーザは次のデータ欠落部分を補充できる方向にカメラをパンする。このようにして、順次、データ欠落部分を補充する。
【００４８】
上記実施例では、パンして撮影した画像をつなぐ際に画像が部分的に欠落する様子を電子ビュー・ファインダに表示するようにしたので、合成結果を予測でき、超ワイドな画像の作成が容易になる。また、つなぎの状態を表示するので、ユーザの学習効果も期待できる。
【００４９】
撮影レンズの収差の影響でスムーズなつなぎが困難になると予想される場合には、予め、そのような収差の影響を補正してから上述のつなぎ処理を行なうようにすればよい。つなぎの部分に動きのある被写体が来たときには、メモリ上でデータを置き換えて、どちらかのフィールドのデータとして固定すればよい。
【００５０】
次に、このように合成して記録媒体２４に記録した画像を再生する再生装置を説明する。図１４は、その一実施例の概略構成ブロック図を示す。５０は記録媒体２４のように、超ワイド画となる複数の静止画像が記録された記録媒体、５２は記録媒体５０の読み出し、並びに画像メモリ５４の書き込み及び読み出しを制御するデータ制御回路、５６はデータ制御回路５２からの画像データをモニタ出力用に処理するプロセス回路、５８はモニタ６０を制御する表示制御回路、６２は全体を制御するシステム制御回路、６４はシステム制御回路６２に所定の指示を入力する操作装置である。
【００５１】
操作装置６４の操作パネル面を図１５に示す。６６は、表示モードの切換えを指示するＭＯＤＥスイッチ、６８，７０，７２，７４はスクロールや画面の切り換えを指示する矢印キー、７６は表示の設定の切換えを指示するＤｉｓｐスイッチである。
【００５２】
図１６、図１７及び図１８に示すフローチャートを参照して、図１４に示す再生装置の再生動作を説明する。
【００５３】
先ず、データ制御回路５２は、記録媒体５０から、記録されている画像データの先頭に記録されている画像位置アドレス・データを読み込む（Ｓ３１）。これにより、１枚のワイド画が何枚の静止画で構成されているかを知ることができる。ワイド画全体を表示するには、適当な画素を間引く必要があり、システム制御回路６２はデータ制御回路５２にその間引きのためのフィルタを設定する。
【００５４】
次に、データ制御回路５２は記録媒体５０から順次、画像データを読み出し、上述のフィルタで間引いた画像データを画像メモリ５４に格納する（Ｓ３２）。データ制御回路５２は、画像メモリ５４に格納された画像データを読み出し、プロセス回路５６及び表示制御回路５８を介してモニタ６０に印加する（Ｓ３３）。即ち、プロセス回路５６は、画像メモリ５４に格納される全体画像に所定の信号処理を施し、表示制御回路５８が、プロセス回路５６の出力をモニタ６０での映像表示に適した信号に変換して、モニタ６０に印加する。これが全体表示モードであり、図１９に示すような表示状態になる。図１９では、全部で８枚の静止画からなるワイド画を例示している。
【００５５】
ＭＯＤＥスイッチ６６の操作により、表示モードを変更できる（Ｓ３５〜３９）。即ち、ＭＯＤＥスイッチ６６のオン操作により、上述の全体表示モード、超ワイド画の一部を大きく表示すると共に超ワイド画の中での位置を表示する両方表示モード、及び、部分画像のみを表示する部分表示モードが循環する。なお、両方表示モードには、大きく表示する部分画像の画面内で、再生画像をスクロール表示する第１の両方表示モードＤｉｓｐ＃１と、再生画像を切り換え表示する第２の両方表示モードＤｉｓｐ＃２がある。第１の両方表示モードＤｉｓｐ＃１の表示態様を図２０に、第２の両方表示モードＤｉｓｐ＃２の表示態様を図２１に示す。部分表示する位置は、全体表示中で色又は特有パターン（図２０及び図２１では斜線）により表示される。
【００５６】
ＭＯＤＥスイッチ６６の最初のオン操作により（Ｓ３４）、図２０に示す両方表示モードＤｉｓｐ＃１になる（Ｓ３５，３６）。両方表示モードのモードＤｉｓｐ＃１では、矢印キー６８，７０，７２，７４に応じて、再生画像をスクロール表示する（Ｓ４３，４５）。即ち、システム制御回路６２は矢印キー６８〜７４の操作時間及び／又は押圧の強さに応じた移動命令をデータ制御回路５２に指令し、データ制御回路５２はこの移動命令に応じて、画像メモリ５４に格納されている画像データを当該画像メモリ５４上で指定方向に移動すると共に、不足する画像データで必要なデータを記録媒体５０から読み出し、画像メモリ５４に格納する。
【００５７】
両方表示モードでＤｉｓｐスイッチ７４を操作すると（Ｓ４６）、モードＤｉｓｐ＃１からモードＤｉｓｐ＃２、又はモードＤｉｓｐ＃２からモードＤｉｓｐ＃１に切り換わる（Ｓ４７）。
【００５８】
モードＤｉｓｐ＃２では、矢印キー６８，７０，７２，７４に応じて、再生画像を切換え表示する（Ｓ４３，４４）。即ち、画像１−２を再生表示しているときに、矢印キー７４をオンすると、データ制御回路５２は画像１−３のデータを記録媒体５０から読み出して画像メモリ５４に格納し、モニタ６０の所定箇所に表示されるようにする。
【００５９】
両方表示モードになっている状態で、ＭＯＤＥスイッチ６６が操作されると（Ｓ３７）、両方表示モードのときにモードＤｉｓｐ＃１であれば全体表示モードになり（Ｓ３８）、両方表示モードのときにモードＤｉｓｐ＃２であれば、部分表示モードになる（Ｓ３８，３９）。
【００６０】
部分表示モードでは、超ワイド画の部分画像のみを表示する。モニタ６０における表示態様を図２２に示す。部分表示モードでは、図１８に示すように、矢印キー６８，７０，７２，７４に応じて、再生画像をスクロール表示する（Ｓ４８，４９）。図２２に示すように、再生画像にスクロール可能な方向を示す矢印を重畳表示する。例えば、画像１−１が表示されている場合、モニタ画面に表示される矢印は右方向と下方向のみである。
【００６１】
部分表示モードで、ＭＯＤＥスイッチ６６が操作されると（Ｓ５０）、部分表示モードを抜け、両方表示モードのモードＤｉｓｐ＃２に復帰する。
【００６２】
両方表示モードでは、図２０及び図２１に示すように、部分画像の表示エリアの外側に全体内の位置を示す画像を表示したが、所謂ピクチャー・イン・ピクチャーのように重畳表示してもよい。また、上記実施例では、両方表示モードのモードｄｉｓｐ＃２から部分表示モードに移行するようにしたが、画像をスクロール表示する点では、モードＤｉｓｐ＃１と類似しており、モードＤｉｓｐ＃１から部分表示モードに移行するようにしてもよい。更には、ワークステーションやパーソナル・コンピュータで利用されているウインドウ表示システムを活用し、部分画像の表示エリアの大きさを拡大縮小できるようにしてもよいことはいうまでもない。
【００６３】
なお、記録媒体２４には、画像情報を可逆又は非可逆圧縮してから記録してもよいことは明らかである。
【００６４】
【発明の効果】
以上の説明から容易に理解できるように、本発明によれば、ワイド画像全体を把握でき、またワイド画像全体のどの部分を表示しているのか把握しながらワイド画像の細部も確認でき、ユーザに対して非常に使い勝手の良いものとなる。
【図面の簡単な説明】
【図１】本発明の一実施例の概略構成ブロック図である。
【図２】本実施例でのマッチング・テンプレートとベクトル方向パターンである。
【図３】パンの方向例である。
【図４】図１の動作フローチャートの一部である。
【図５】図１の動作フローチャートの一部である。
【図６】図１の動作フローチャートの一部である。
【図７】メモリ２０Ａ，２０Ｂ，２０Ｃの遷移状態図である。
【図８】図７に対するタイミング図である。
【図９】遅いパンに対するメモリ２０Ａ，２０Ｂ，２０Ｃの遷移状態図である。
【図１０】図９に対するタイミング図である。
【図１１】右斜め方向パンのときの動作説明図である。
【図１２】電子ビュー・ファインダ３４の表示である。
【図１３】不足データを穴埋めする際の、電子ビュー・ファインダ３４の表示である。
【図１４】再生装置の一実施例の概略構成ブロック図である。
【図１５】図１４の操作装置６４の操作パネル面を示す図である。
【図１６】図１４の動作フローチャートである。
【図１７】図１４のＳ４１の詳細なフローチャートである。
【図１８】図１４のＳ４０の詳細なフローチャートである。
【図１９】全体表示モードでのモニタ画面６０の表示態様である。
【図２０】両方表示モードのモードＤｉｓｐ＃１のモニタ画面６０の表示態様である。
【図２１】両方表示モードのモードＤｉｓｐ＃２のモニタ画面６０の表示態様である。
【図２２】部分表示モードのモニタ画面６０の表示態様である。
【符号の説明】
１０：撮影レンズ
１２：撮像素子
１４：サンプル・ホールド回路
１６：Ａ／Ｄ変換器
１８：プロセス回路
２０Ａ，２０Ｂ，２０Ｃ：画像メモリ
２２：メモリ制御回路
２４：記録媒体
２６：動き検出回路
２８：フィルタ
３０：マッチング回路
３２：ベクトル演算回路
３４：電子ビュー・ファインダ
３６：タイミング制御回路
５０：記録媒体
５２：データ制御回路
５４：画像メモリ
５６：プロセス回路
５８：表示制御回路
６０：モニタ
６２：システム制御回路
６４：操作装置
６６：ＭＯＤＥスイッチ
６８，７０，７２，７４：矢印キー
７６：Ｄｉｓｐスイッチ
【図１】
0003542563.tif 000002
【図２】
0003542563.tif 000003
【図３】
0003542563.tif 000004
【図４】
0003542563.tif 000005
【図５】
0003542563.tif 000006
【図６】
0003542563.tif 000007
【図７】
0003542563.tif 000008
【図８】
0003542563.tif 000009
【図９】
0003542563.tif 000010
【図１０】
0003542563.tif 000011
【図１１】
0003542563.tif 000012
【図１２】
0003542563.tif 000013
【図１３】
0003542563.tif 000014
【図１４】
0003542563.tif 000015
【図１５】
0003542563.tif 000016
【図１６】
0003542563.tif 000017
【図１７】
0003542563.tif 000018
【図１８】
0003542563.tif 000019
【図１９】
0003542563.tif 000020
【図２０】
0003542563.tif 000021
【図２１】
0003542563.tif 000022
【図２２】
0003542563.tif 000023